(57)【要約】    【課題】  撮像装置に適用したとき、撮像装置の厚みを薄くすることができ、しかも高ズーム比で全ズーム範囲にわたり高い光学性能が容易に得られるズームレンズを得ること。    【解決手段】  物体側より像側へ順に、正、負、正、正の屈折力の第１乃至第４レンズ群を有し、ズーミングに際して、第１レンズ群は不動であり、第２レンズ群と第３レンズ群が移動し、ズーミングに際して隣り合うレンズ群の間隔が変化するズームレンズであって、第１レンズ群は、物体側から像側へ順に、両レンズ面が凹形状の負レンズＧ１ｎ、光路を折り曲げる反射面を含む反射部材、２つの正レンズを有し、負レンズＧ１ｎの物体側のレンズ面の曲率半径Ｒ１、負レンズＧ１ｎの像側のレンズ面の曲率半径Ｒ２、負レンズＧ１ｎの焦点距離ｆ１ｎ、第１レンズ群の焦点距離ｆ１を各々適切に設定する。【選択図】    図１１
2014215434.tif 000002
【特許請求の範囲】
【請求項１】
物体側より像側へ順に、正の屈折力の第１レンズ群、負の屈折力の第２レンズ群、正の屈折力の第３レンズ群、第４レンズ群を有し、ズーミングに際して、前記第１レンズ群は不動であり、前記第２レンズ群と前記第３レンズ群が移動し、ズーミングに際して隣り合うレンズ群の間隔が変化するズームレンズであって、
前記第１レンズ群は、物体側から像側へ順に、両レンズ面が凹形状の負レンズＧ１ｎ、光路を折り曲げる反射面を含む反射部材、２つの正レンズを有し、前記負レンズＧ１ｎの物体側のレンズ面の曲率半径をＲ１、前記負レンズＧ１ｎの像側のレンズ面の曲率半径をＲ２、前記負レンズＧ１ｎの焦点距離をｆ１ｎ、前記第１レンズ群の焦点距離をｆ１とするとき、
−０．９８＜（Ｒ２＋Ｒ１）／（Ｒ２−Ｒ１）＜−０．３０
０．６０＜｜ｆ１ｎ｜／ｆ１＜０．９２
なる条件式を満足することを特徴とするズームレンズ。
【請求項２】
前記第１レンズ群に含まれる正レンズのうち最も屈折力の強い正レンズＧ１ｐの焦点距離をｆ１ｐ、前記第２レンズ群に含まれる正レンズのうち最も屈折力の強い正レンズＧ２ｐの焦点距離をｆ２ｐ、前記第２レンズ群の焦点距離をｆ２とするとき、
１．０＜ｆ１ｐ／ｆ１＜１．５
１．０＜ｆ２ｐ／｜ｆ２｜＜１．５
なる条件式を満足することを特徴とする請求項１のズームレンズ。
【請求項３】
前記第２レンズ群と前記第３レンズ群の間に開口絞りを有することを特徴とする請求項１又は２のズームレンズ。
【請求項４】
前記開口絞りは、ズーミングに際して、他のレンズ群とは異なる軌跡で移動することを特徴とする請求項３のズームレンズ。
【請求項５】
物体側より像側へ順に、正の屈折力の第１レンズ群、負の屈折力の第２レンズ群、開口絞り、正の屈折力の第３レンズ群、正の屈折力の第４レンズ群より構成され、ズーミングに際して前記第４レンズ群が移動することを特徴とする請求項１乃至４のいずれか１項のズームレンズ。
【請求項６】
物体側より像側へ順に、正の屈折力の第１レンズ群、負の屈折力の第２レンズ群、開口絞り、正の屈折力の第３レンズ群、負の屈折力の第４レンズ群、正の屈折力の第５レンズ群より構成され、ズーミングに際して前記第４レンズ群が不動で、前記第５レンズ群が移動することを特徴とする請求項１乃至４のいずれか１項のズームレンズ。
【請求項７】
物体側より像側へ順に、正の屈折力の第１レンズ群、負の屈折力の第２レンズ群、開口絞り、正の屈折力の第３レンズ群、正の屈折力の第４レンズ群、負の屈折力の第５レンズ群より構成され、ズーミングに際して前記第４レンズ群と前記第５レンズ群が移動することを特徴とする請求項１乃至４のいずれか１項のズームレンズ。
【請求項８】
広角端から望遠端へのズーミングに際して、前記第２レンズ群は像側へ移動し、前記第３レンズ群は物体側へ移動することを特徴とする請求項１乃至７のいずれか１項のズームレンズ。
【請求項９】
前記第２レンズ群は、物体側から像側へ順に、物体側のレンズ面が凸でメニスカス形状の負レンズ、両レンズ面が凹形状の負レンズ、物体側のレンズ面が凸形状の正レンズより構成されることを特徴とする請求項１乃至８のいずれか１項のズームレンズ。
【請求項１０】
請求項１乃至９のいずれか１項のズームレンズと、該ズームレンズによって形成される像を受光する固体撮像素子とを有することを特徴とする撮像装置。
【発明の詳細な説明】
【技術分野】
【０００１】
本発明はズームレンズ及びそれを有する撮像装置に関し、例えばビデオカメラ、デジタルスチルカメラ、監視用カメラ、銀塩写真用のカメラ、放送用カメラ等に好適なものである。
【背景技術】
【０００２】
近年、撮像装置に用いられる撮影光学系には、高ズーム比で全体が小型であり、撮像装置（カメラ）に用いたとき、その厚み（前後方向の厚み）を薄くできるズームレンズであることが求められている。厚みの薄いズームレンズは、例えば撮影時にレンズ鏡筒が撮像装置本体から前方に突出しないようにし、水や塵が内部に侵入しないようにした構成のフルフラット式の撮像装置に好適に用いることができる。
【０００３】
撮像装置の厚みを薄くするために、撮影光学系の光軸（光路）を９０°折り曲げる反射部材、例えば内面反射を利用したプリズム部材を光路中に配置した所謂屈曲式のズームレンズが知られている（特許文献１，２）。
【０００４】
特許文献１では物体側より像側へ順に、正、負、正又は負、正、正の屈折力の第１乃至第５レンズ群を有する５群ズームレンズにおいて、第１レンズ群中に光路折り曲げ用の反射部材を配置したズームレンズを開示している。特許文献２では、物体側から順に、正、負、正、負、正の屈折力の第１乃至第５レンズ群を有する５群ズームレンズにおいて、第１レンズ群中に光路折り曲げ用の反射部材を配置したズームレンズを開示している。特許文献１，２はいずれも第１レンズ群中に光路折り曲げ用の反射部材を配置して撮像装置に用いたとき、その厚さを薄くすることができるズームレンズを開示している。
【先行技術文献】
【特許文献】
【０００５】
【特許文献１】特開２００７−２４８９５２号公報
【特許文献２】特開２００９−２３６９７３号公報
【発明の概要】
【発明が解決しようとする課題】
【０００６】
一般に、レンズ群の間に光路折り曲げ用の反射部材を有するズームレンズでは、撮像装置の厚み方向と、それに直交する方向にレンズ群を配置することで撮像装置の薄型化を達成することが容易となる。
【０００７】
反射部材を用いて全系の小型化を図りつつ、高ズーム比で全ズーム範囲にわたり高い光学性能を得るためにはズームレンズのレンズ構成を適切に設定することが重要になってくる。例えば、ズームタイプや反射部材の光路中の配置位置、そして最も物体側の第１レンズ群のレンズ構成等を適切に設定することが重要になってくる。第１レンズ群のレンズ構成が不適切であると、入射瞳位置が深くなり（像側へ移動し、）第１レンズ群の有効径が大きくなり、全系の小型化が困難になる。
【０００８】
本発明は、撮像装置に適用したとき、撮像装置の厚みを薄くすることができ、しかも高ズーム比で全ズーム範囲にわたり高い光学性能が容易に得られるズームレンズ及びそれを用いた撮像装置の提供を目的とする。
【課題を解決するための手段】
【０００９】
本発明のズームレンズは、物体側より像側へ順に、正の屈折力の第１レンズ群、負の屈折力の第２レンズ群、正の屈折力の第３レンズ群、第４レンズ群を有し、ズーミングに際して、前記第１レンズ群は不動であり、前記第２レンズ群と前記第３レンズ群が移動し、ズーミングに際して隣り合うレンズ群の間隔が変化するズームレンズであって、前記第１レンズ群は、物体側から像側へ順に、両レンズ面が凹形状の負レンズＧ１ｎ、光路を折り曲げる反射面を含む反射部材、２つの正レンズを有し、前記負レンズＧ１ｎの物体側のレンズ面の曲率半径をＲ１、前記負レンズＧ１ｎの像側のレンズ面の曲率半径をＲ２、前記負レンズＧ１ｎの焦点距離をｆ１ｎ、前記第１レンズ群の焦点距離をｆ１とするとき、
−０．９８＜（Ｒ２＋Ｒ１）／（Ｒ２−Ｒ１）＜−０．３０
０．６０＜｜ｆ１ｎ｜／ｆ１＜０．９２
なる条件式を満足することを特徴としている。
【発明の効果】
【００１０】
本発明によれば、撮像装置に適用したとき、撮像装置の厚みを薄くすることができ、しかも高ズーム比で全ズーム範囲にわたり高い光学性能が容易に得られるズームレンズが得られる。
【図面の簡単な説明】
【００１１】
【図１】本発明の実施例１のズームレンズの広角端におけるレンズ断面図
【図２】（Ａ），（Ｂ），（Ｃ）  本発明の実施例１のズームレンズの広角端、中間のズーム位置、望遠端における収差図
【図３】本発明の実施例２の広角端におけるレンズ断面図
【図４】（Ａ），（Ｂ），（Ｃ）  本発明の実施例２のズームレンズの広角端、中間のズーム位置、望遠端における収差図
【図５】本発明の実施例３の広角端におけるレンズ断面図
【図６】（Ａ），（Ｂ），（Ｃ）  本発明の実施例３のズームレンズの広角端、中間のズーム位置、望遠端における収差図
【図７】本発明の実施例４の広角端におけるレンズ断面図
【図８】（Ａ），（Ｂ），（Ｃ）  本発明の実施例４のズームレンズの広角端、中間のズーム位置、望遠端における収差図
【図９】本発明の実施例５の広角端におけるレンズ断面図
【図１０】（Ａ），（Ｂ），（Ｃ）  本発明の実施例５のズームレンズの広角端、中間のズーム位置、望遠端における収差図
【図１１】本発明の実施例１のズームレンズの広角端におけるレンズ断面図
【図１２】本発明の撮像装置の要部概略図
【発明を実施するための形態】
【００１２】
以下、本発明のズームレンズ及びそれを有する撮像装置について説明する。本発明のズームレンズは、物体側より像側へ順に、正の屈折力の第１レンズ群、負の屈折力の第２レンズ群、正の屈折力の第３レンズ群、第４レンズ群を有する。そして、ズーミングに際して第１レンズ群は不動であり、第２レンズ群と第３レンズ群がズーミングに際して隣り合うレンズ群の間隔が変化するように移動する。具体的には広角端から望遠端へのズーミングに際して、第２レンズ群は像側へ、第３レンズ群は物体側へ移動する。
【００１３】
図１は本発明の実施例１のズームレンズの広角端（短焦点距離端）におけるレンズ断面図である。図２（Ａ）、（Ｂ）はそれぞれ実施例１のズームレンズの広角端、望遠端（長焦点距離端）における収差図である。実施例１はズーム比７．９８，Ｆナンバー３．６１〜５．００のズームレンズである。
【００１４】
図３は本発明の実施例２のズームレンズの広角端におけるレンズ断面図である。図４（Ａ）、（Ｂ）はそれぞれ実施例２のズームレンズの広角端、望遠端における収差図である。実施例２はズーム比９．９７，Ｆナンバー３．６１〜５．６０のズームレンズである。図５は本発明の実施例３のズームレンズの広角端におけるレンズ断面図である。図６（Ａ）、（Ｂ）はそれぞれ実施例３のズームレンズの広角端、中間のズーム位置、望遠端における収差図である。実施例３はズーム比９．９７，Ｆナンバー３．６１〜５．００のズームレンズである。
【００１５】
図７は本発明の実施例４のズームレンズの広角端におけるレンズ断面図である。図８（Ａ）、（Ｂ）はそれぞれ実施例４のズームレンズの広角端、望遠端における収差図である。実施例４はズーム比７．９８，Ｆナンバー３．６１〜５．６０のズームレンズである。図９は本発明の実施例５のズームレンズの広角端におけるレンズ断面図である。図１０（Ａ）、（Ｂ）はそれぞれ実施例５のズームレンズの広角端、望遠端における収差図である。実施例５はズーム比７．９８，Ｆナンバー３．６１〜５．６０のズームレンズである。
【００１６】
各実施例のレンズ断面図ではプリズム内に設けた反射面を有するプリズム部材で光路を折り曲げているが各レンズ断面図では便宜上光路を展開した状態で示している。図１１は実施例１のズームレンズの広角端の反射部材で光路を折り曲げた状態のレンズ断面図である。図１２は本発明のズームレンズを備えるカメラ（撮像装置）の要部概略図である。
【００１７】
各実施例のズームレンズはビデオカメラやデジタルカメラそして銀塩フィルムカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。
【００１８】
ＳＰはＦナンバー光束を制限する開口絞りである。ＰＲは光路折り曲げ用のプリズム部材であり、各実施例では反射面を有し、光路上の光路を９０度又は９０度前後（９０°±１０°）折り曲げるプリズム材（ガラス材又はプラスチック材）よりなっている。ＧＢは光学フィルター、フェースプレート、水晶ローパスフィルター、赤外カットフィルター等に相当する光学ブロックである。
【００１９】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。矢印は広角端から望遠端へのズーミングにおける各レンズ群と開口絞りＳＰの移動軌跡を示している。
【００２０】
収差図のうち、球面収差図において、実線のｄと一点鎖線のｇは各々ｄ線及びｇ線である。非点収差図において点線のΔＭと実線のΔＳは各々メリディオナル像面、サジタル像面である。倍率色収差はｇ線によって表している。ωは半画角（撮影画角の半分の値）（度）、ＦｎｏはＦナンバーである。尚、以下の各実施例において広角端と望遠端は変倍用レンズ群が機構上光軸上を移動可能な範囲の両端に位置したときのズーム位置をいう。
【００２１】
各実施例のズームレンズのズームタイプは次のとおりである。物体側より像側へ順に、正の屈折力の第１レンズ群Ｌ１、負の屈折力の第２レンズ群Ｌ２、開口絞りＳＰ、正の屈折力の第３レンズ群Ｌ３、正の屈折力の第４レンズ群Ｌ４より構成される。そしてズーミングに際して第２レンズ群Ｌ２乃至第４レンズ群Ｌ４が移動する。
【００２２】
又は、物体側より像側へ順に、正の屈折力の第１レンズ群Ｌ１、負の屈折力の第２レンズ群Ｌ２、開口絞りＳＰ、正の屈折力の第３レンズ群Ｌ３、負の屈折力の第４レンズ群Ｌ４、正の屈折力の第５レンズ群Ｌ５より構成される。そしてズーミングに際して隣り合うレンズ群の間隔が変化するように第２レンズ群Ｌ２，第３レンズ群Ｌ３，第５レンズ群Ｌ５が移動する。
【００２３】
又は、物体側より像側へ順に、正の屈折力の第１レンズ群Ｌ１、負の屈折力の第２レンズ群Ｌ２、開口絞りＳＰ、正の屈折力の第３レンズ群Ｌ３、正の屈折力の第４レンズ群Ｌ４、負の屈折力の第５レンズ群Ｌ５より構成される。そしてズーミングに際して隣り合うレンズ群の間隔が変化するように、第２レンズ群Ｌ２乃至第５レンズ群Ｌ５が移動する。そしていずれも第１レンズ群Ｌ１はズーミングに際して不動である。
【００２４】
各実施例において、第１レンズ群Ｌ１は物体側から像側へ順に、両レンズ面が凹形状の負レンズＧ１ｎ、光路を折り曲げる反射面を含む反射部材、２つの正レンズを有している。なお、反射部材は、プリズム部材に限られず、ミラーであっても良い。負レンズＧ１ｎの物体側のレンズ面の曲率半径をＲ１、負レンズＧ１ｎの像側のレンズ面の曲率半径をＲ２とする。負レンズＧ１ｎの焦点距離をｆ１ｎ、第１レンズ群Ｌ１の焦点距離をｆ１とする。このとき、
−０．９８＜（Ｒ２＋Ｒ１）／（Ｒ２−Ｒ１）＜−０．３０    ・・・（１）
０．６０＜｜ｆ１ｎ｜／ｆ１＜０．９２                      ・・・（２）
なる条件式を満足している。
【００２５】
次に前述の条件式（１），（２）の技術的意味について説明する。条件式（１）は第１レンズ群Ｌ１の反射部材ＰＲよりも物体側の負の屈折力のレンズＧ１ｎ（負レンズＧ１ｎ）のレンズ形状を規定している。負レンズＧ１ｎを条件式（１）を満足する形状にすることで広角端において負の歪曲収差を増大させ、前玉有効径の小型化を図っている。
【００２６】
条件式（１）の上限値を超えて、負レンズＧ１ｎの物体側のレンズ面の曲率半径と像側のレンズ面の曲率半径が近くなりすぎると、諸収差の補正が困難になる。条件式（１）の下限値を超えると、負レンズＧ１ｎの物体側のレンズ面の曲率半径が平面に近くなり、広角端において負の歪曲収差が小さくなり、前玉有効径の小型化が困難になる。更に好ましくは条件式（１）の数値範囲を次の如く設定するのが良い。
【００２７】
−０．９６＜（Ｒ２＋Ｒ１）／（Ｒ２−Ｒ１）＜−０．３２    ・・・（１ａ）
条件式（２）は、第１レンズ群Ｌ１の反射部材ＰＲよりも物体側の負レンズＧ１ｎの焦点距離の範囲を規定している。第１レンズ群Ｌ１の反射部材ＰＲよりも物体側の負レンズＧ１ｎの焦点距離を小さくすることで、入射瞳位置を浅くし（短くし）、前玉有効径を小型にしている。これにより広画角化に伴う前玉有効径の増大を抑えることで、広画角かつ前玉有効径の小さいズームレンズを達成している。
【００２８】
条件式（２）の上限値を超えて、負レンズＧ１ｎの焦点距離の絶対値が大きくなりすぎると、入射瞳と第１レンズ群Ｌ１の物体側の負レンズＧ１ｎの間隔が増大し、前玉有効径の小型化が困難になる。条件式（２）の下限値を超えて、負レンズＧ１ｎの焦点距離の絶対値が小さくなりすぎると、負レンズＧ１ｎから発生する収差を反射部材ＰＲよりも像側のレンズで補正することが困難になる。更に好ましくは条件式（２）の数値範囲を次の如く設定するのが良い。これによれば、前玉有効径を小型化しつつ負レンズＧ１ｎから発生する諸収差の補正が容易になる。
【００２９】
０．６５＜｜ｆ１ｎ｜／ｆ１＜０．９２        ・・・（２ａ）
各実施例において、更に好ましくは次の条件式のうち１以上を満足するのが良い。第１レンズ群Ｌ１に含まれる正レンズのうち最も屈折力の強い正レンズＧ１ｐの焦点距離をｆ１ｐとする。第２レンズ群Ｌ２に含まれる正レンズのうち最も屈折力の強い正レンズＧ２ｐの焦点距離をｆ２ｐとする。第２レンズ群Ｌ２の焦点距離をｆ２とする。このとき、
１．０＜ｆ１ｐ／ｆ１＜１．５                ・・・（３）
１．０＜ｆ２ｐ／｜ｆ２｜＜１．５            ・・・（４）
なる条件式のうち１以上を満足するのが良い。
【００３０】
次に前述の各条件式の技術的意味について説明する。条件式（３）は第１レンズ群Ｌ１中の正の屈折力が最も強い正レンズＧ１ｐの屈折力に関し、主に望遠端において軸上色収差を良好に補正するためのものである。
【００３１】
条件式（３）は正レンズＧ１ｐの焦点距離の範囲を規定している。各実施例では前玉有効径の小型化の為に、反射部材ＰＲよりも物体側の負レンズＧ１ｎの負の屈折力を大きくしている。この為、特に望遠端において軸上色収差がオーバー側に増大する。そこで第１レンズ群Ｌ１中の正レンズＧ１ｐの屈折力を条件式（３）を満足するように大きくすることで前玉有効径の小型化に伴う軸上色収差を補正している。
【００３２】
条件式（３）の上限値を超えて、正レンズＧ１ｐの焦点距離が大きくなりすぎると、望遠端において軸上色収差を補正することが困難になる。条件式（３）の下限値を超えて、正レンズＧ１ｐの焦点距離が小さくなりすぎると、軸上色収差が補正過剰となるために好ましくない。また、第１レンズ群Ｌ１の正レンズに高分散の材料を用いると、２次スペクトルが少なくなるが、１次の色消しが不十分となる。
【００３３】
条件式（４）は第２レンズ群Ｌ２中の正の屈折力が最も強い正レンズＧ２ｐの屈折力に関し、主に望遠端において球面収差を良好に補正するためのものである。第１レンズ群Ｌ１中の負レンズＧ１ｎから発生する望遠端における軸上色収差を、第１レンズ群Ｌ１中の正レンズＧ１ｐだけで補正しようとすると、正レンズＧ１ｐの屈折力が強くなりすぎ、球面収差がアンダー方向に増大してしまう。  条件式（４）は第２レンズ群Ｌ２中の正レンズＧ２ｐの屈折力を強め、望遠端において軸上色収差の補正を分担する事で、望遠端において球面収差を良好に維持したまま軸上色収差を良好に補正している。
【００３４】
条件式（４）の上限値を超えて、正レンズＧ２ｐの焦点距離が大きくなりすぎると、望遠端において軸上色収差を補正することが困難になる。条件式（４）の下限値を超えて、正レンズＧ２ｐの焦点距離が小さくなりすぎると、望遠端において球面収差がアンダー方向に増大するために好ましくない。条件式（４）を満足すれば、広角端から中間のズーム位置までにおいて球面収差を良好に補正するのが容易になる。第１レンズ群Ｌ１は反射部材ＰＲによって、物体側の負レンズと像側の正レンズの間隔が大きくなる。このために、負レンズＧ１ｎから発生する軸上色収差を補正するのが困難となる。
【００３５】
そこで各実施例では第１レンズ群Ｌ１中の正レンズＧ１ｐが、条件式（３）を満たす事で望遠端において軸上色収差を良好に補正している。また正レンズＧ２ｐが条件式（４）を満たすことで、望遠端において軸上色収差の補正を第１レンズ群Ｌ１の正レンズＧ１ｐと第２レンズ群Ｌ２の正レンズＧ２ｐで分担している。これによって、第１レンズ群Ｌ１の正レンズＧ１ｐの屈折力の増大を防ぎつつ、望遠端において球面収差を良好に維持したまま軸上色収差を良好に補正している。更に好ましくは条件式（３），（４）の数値範囲を次の如く設定するのが良い。
【００３６】
１．０２＜ｆ１ｐ／ｆ１＜１．４８                ・・・（３ａ）
１．０５＜ｆ２ｐ／｜ｆ２｜＜１．６８            ・・・（４ａ）
【００３７】
以上のように各実施例によれば高ズーム比で前玉有効径が小さく、しかも厚みの薄いフルフラットの撮像装置に好適なズームレンズが容易に得られる。各実施例において好ましくは次の構成をとるのが良い。第２レンズ群Ｌ２と第３レンズ群Ｌ３の間に開口絞りＳＰを有するのが良い。開口絞りＳＰはズーミングに際して不動でも良く、又は他のレンズ群とは異なった軌跡で移動させても良い。第２レンズ群Ｌ２は物体側から像側へ順に、物体側のレンズ面が凸でメニスカス形状の負レンズ、両レンズ面が凹形状の負レンズ、物体側のレンズ面が凸形状の正レンズより構成されるのが収差補正上、好ましい。
【００３８】
次に各実施例のズームレンズのレンズ構成の特徴について説明する。図１を参照して、本発明の実施例１のズームレンズのレンズ構成について説明する。図１に示す実施例１は、物体側から像側へ順に次のとおりである。正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５より構成されている。ズーミングに際して第１レンズ群Ｌ１と第４レンズ群Ｌ４は不動である。ズーミングに際して隣り合うレンズ群の間隔が変化するように第２レンズ群Ｌ２，第３レンズ群Ｌ３，第５レンズ群Ｌ５が移動する。
【００３９】
開口絞りＳＰはズーミングに際して他のレンズ群とは独立（異なった軌跡）で移動する。第１レンズ群Ｌ１は物体側から像側へ順に、両レンズ面が凹形状の負レンズＧ１ｎ、光路を折り曲げる反射面を含む反射部材ＰＲ、２つの正レンズを有している。フォーカシングは第５レンズ群Ｌ５によって行っている。
【００４０】
第４レンズ群Ｌ４を光軸に対して垂直方向の成分を持つように移動させて撮影画像を光軸に対して垂直方向に変移させるようにしても良い。即ちズームレンズが振動したときの撮影画像のぶれを補正する防振を行っても良い。第４レンズ群Ｌ４はズーミングに際して不動のため、防振用のレンズ群とするとメカ構造が簡素化される。
【００４１】
図３の実施例２のズームレンズは、実施例１に比べてレンズ群の数、各レンズ群の屈折力、ズーミングに伴う各レンズ群の移動等のズームタイプが同じである。実施例２はズーミングに際して開口絞りＳＰが不動であることが実施例１と異なっている。前玉有効径の小型化と収差補正に関しては実施例１と同様である。実施例２は実施例１と比較して負レンズＧ１ｎの物体側のレンズ面と像側のレンズ面の曲率半径の絶対値が近い。ズーム比は約１０倍と実施例１のズーム比約８倍よりも大きい。本実施例では、第１レンズ群Ｌ１の正レンズＧ１ｐの焦点距離を小さくすることで、望遠端において軸上色収差を良好に補正している。
【００４２】
図５の実施例３のズームレンズは、実施例１に比べてレンズ群の数、各レンズ群の屈折力、ズーミングに伴う各レンズ群の移動等のズームタイプが同じである。各レンズ群による収差補正及び前玉有効径の小型化に関する構成は実施例１と同じである。実施例３はズーミングに際して開口絞りＳＰが不動であることが実施例１と異なっている。
【００４３】
図７に示す実施例４は物体側から像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４より構成されている。ズーミングに際して第１レンズ群Ｌ１は不動である。ズーミングに際して隣り合うレンズ群の間隔が変化するように第２レンズ群Ｌ２乃至第４レンズ群Ｌ４が移動する。開口絞りＳＰはズーミングに際して不動である。フォーカシングに際して第４レンズ群Ｌ４が移動する。前玉有効径の小型化と収差補正に関しては実施例１と同様である。
【００４４】
図９に示す実施例５は物体側から像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５より構成されている。ズーミングに際して第１レンズ群Ｌ１は不動である。ズーミングに際して隣り合うレンズ群の間隔が変化するように第２レンズ群Ｌ２乃至第５レンズ群Ｌ５が移動する。開口絞りＳＰはズーミングに際して不動である。フォーカシングに際しては第５レンズ群Ｌ５が移動する。前玉有効径の小型化と収差補正に関しては実施例１と同じである。
【００４５】
図１１は図１の実施例１のズームレンズの光路を反射部材ＰＲで９０度折り曲げた状態を示し、各部材に付した符番は図１と同じである。
【００４６】
次に各実施例に示したようなズームレンズを撮影光学系として用いたデジタルスチルカメラの実施形態を図１２を用いて説明する。図１２において、２０はカメラ本体、２１は実施例１〜５で説明したいずれかのズームレンズによって構成された撮影光学系である。
【００４７】
ＰＲは光路折り曲げ用の反射部材である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。このように本発明のズームレンズをデジタルスチルカメラ等の撮像装置に適用することにより、小型で高い光学性能を有する撮像装置が実現できる。
次に、本発明の実施例１乃至５に各々対応する数値実施例１乃至５を示す。各数値実施例においてｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００４８】
また、ｋを離心率、Ａ４、Ａ６、Ａ８、Ａ１０を非球面係数、光軸からの高さｈの位置での光軸方向の変位を面頂点を基準にしてｘとするとき、非球面形状は、
ｘ＝（ｈ2／Ｒ）／［１＋［１−（１＋ｋ）（ｈ／Ｒ）2］1/2］＋Ａ４ｈ4＋Ａ６
ｈ6＋Ａ８ｈ8＋Ａ１０ｈ10
で表示される。但しＲは近軸曲率半径である。また、例えば「Ｅ−Ｚ」の表示は「１０-Z」を意味する。
【００４９】
数値実施例１〜５において最後の２つの面は、フィルター、フェースプレート等の光学ブロックの面である。数値実施例１において中間のズーム位置における間隔ｄ１４が負になっているのは物体側から像側へ順に、開口絞りＳＰ、第３レンズ群Ｌ３の順に数えたためである。各実施例において、バックフォーカス（ＢＦ）はレンズ最終面から近軸像面までの距離を空気換算長により表したものである。レンズ全長は最も物体側のレンズ面から最終レンズ面までの距離に空気換算長のバックフォーカスを加えたものである。また、各数値実施例における上述した各条件式との対応を表１に示す。 
【００５０】
［数値実施例１］
単位 mm
面データ
面番号       r        d      nd         νd       有効径
1       -500.000    1.01   1.92286    20.9       16.01
2         14.612    1.80                         14.01
3          ∞      15.90   1.90366    31.3       14.01
4          ∞       0.19                         13.50
5         40.858    3.20   1.49700    81.6       13.97
6        -17.778    0.19                         14.25
7*        18.711    1.82   1.65412    39.7       14.13
8*       122.354  (可変)                         13.98
9         28.972    0.44   1.88300    40.8        7.34
10          8.636    1.60                          6.69
11*       -11.055    0.44   1.77250    49.6        6.39
12          7.843    1.23   1.92286    20.9        6.31
13         78.728  (可変)                          6.23
14(絞り)    ∞     (可変)                          6.88
15*         7.249    1.55   1.69350    53.2        7.41
16*        26.371    1.55                          7.07
17*        16.212    1.94   1.60300    65.5        6.43
18         -6.234    0.44   1.84666    23.8        6.16
19        -10.473  (可変)                          6.08
20        -82.997    0.44   1.72916    54.7        5.47
21          8.374  (可変)                          5.11
22*        11.600    1.20   1.51633    64.2        6.40
23        -75.285    1.80                          6.34
24        -10.975    0.44   1.92286    20.9        6.07
25         38.562    1.88   1.78800    47.4        6.28
26        -16.971  (可変)                          6.62
27          ∞       1.29   1.51633    64.2       20.00
28          ∞                                    20.00
像面        ∞   
【００５１】
非球面データ
第7面
K  = 0.00000e+000  A 4=-1.18181e-005  A 6=-4.12223e-008 
A 8= 1.34527e-009  A10=-3.32623e-010  
第8面
K  = 0.00000e+000  A 4=-1.14181e-005  A 6= 3.72818e-007 
A 8=-1.53222e-008  A10=-1.40863e-010  
第11面
K  = 0.00000e+000  A 4=-2.11854e-004  A 6= 1.07033e-005 
A 8=-1.31517e-006  A10= 4.56335e-008  
第15面
K  = 0.00000e+000  A 4= 2.31886e-004  A 6= 2.80692e-005 
A 8=-6.65641e-007  A10= 2.92490e-008  
第16面
K  = 0.00000e+000  A 4= 3.03450e-004  A 6= 3.92513e-005 
A 8=-1.56523e-006  A10=-1.28071e-009  
第17面
K  = 0.00000e+000  A 4=-7.83318e-004  A 6= 8.29385e-006 
A 8=-2.61084e-006  A10=-1.92766e-008  
第22面
K  = 0.00000e+000  A 4= 1.78750e-004  A 6= 4.87376e-006 
A 8=-1.29170e-006  A10= 9.39826e-008  
各種データ
ズーム比     7.98 
広角     中間     望遠
焦点距離       5.01    13.59    40.00  
Fナンバー      3.61     4.50     5.00  
半画角（度）  34.31    15.91     5.53  
像高           3.42     3.88     3.88  
レンズ全長    74.61    74.61    74.61  
BF             4.03     8.45     9.10  
d 8            0.20     9.40    17.76  
d13           17.62     8.41     0.06  
d14            1.05    -0.13     0.38  
d19            0.37     1.56     1.05  
d21           12.31     7.88     7.23  
d26            1.68     6.10     6.75  
入射瞳位置    10.71    17.91    29.96  
射出瞳位置   -28.40   -25.00   -24.93  
前側主点位置  14.88    24.53     9.43  
後側主点位置  -3.51   -12.09   -38.50  
ズームレンズ群データ
群  始面    焦点距離  レンズ構成長  前側主点位置  後側主点位置
1    1      17.39        24.11        14.98         12.09
2    9      -7.10         3.70         1.04         -1.59
絞り14       ∞           0.00         0.00         -0.00
3   15       7.79         5.47         1.88         -2.64
4   20     -10.41         0.44         0.23         -0.02
5   22      59.99         5.32        -1.76         -5.73
GB  27       ∞           1.29         0.42         -0.42
単レンズデータ
レンズ  始面  焦点距離
1       1    -15.37
2       3      0.00
3       5     25.39
4       7     33.54
5       9    -14.08
6      11     -5.88
7      12      9.36
8      15     13.95
9      17      7.72
10      18    -19.09
11      20    -10.41
12      22     19.56
13      24     -9.22
14      25     15.18
15      27      0.00
【００５２】
［数値実施例２］
単位 mm
面データ
面番号       r        d      nd         νd       有効径
1        -45.000    1.01   1.92286    20.9       15.08
2         22.481    1.13                         13.76
3          ∞      15.00   1.90366    31.3       13.74
4          ∞       0.19                         14.13
5         21.331    4.00   1.49700    81.6       15.09
6        -27.466    0.19                         15.27
7*        29.404    1.85   1.67270    32.1       15.03
8*      -152.016  (可変)                         14.82
9         28.462    0.44   1.88300    40.8        7.13
10          8.678    1.60                          6.80
11*       -10.639    0.44   1.83481    42.7        6.82
12         22.089    0.19                          7.23
13         32.521    1.23   1.92286    20.9        7.32
14        -22.433  (可変)                          7.56
15(絞り)    ∞     (可変)                          7.75
16*         8.749    1.80   1.60342    38.0        8.19
17*        18.942    0.70                          7.84
18         29.158    1.00   1.84666    23.8        7.86
19         11.687    1.94   1.59240    68.3        7.73
20*       -15.462  (可変)                          7.74
21        -88.895    0.44   1.72916    54.7        4.95
22          5.909  (可変)                          4.92
23*        10.118    2.60   1.51633    64.2        8.49
24        -10.259    0.39                          8.58
25        -21.333    0.44   1.92286    20.9        8.31
26          9.171    2.60   1.78800    47.4        8.39
27        -14.886  (可変)                          8.50
28          ∞       1.29   1.51633    64.2       20.00
29          ∞                                    20.00
像面        ∞   
【００５３】
非球面データ
第7面
K  = 0.00000e+000  A 4=-5.70288e-005  A 6= 3.14387e-007 
A 8= 1.36024e-008  A10=-1.55872e-010  
第8面
K  = 0.00000e+000  A 4=-3.89211e-005  A 6= 8.11003e-007 
A 8= 8.44240e-009  A10=-1.37531e-010  
第11面
K  = 0.00000e+000  A 4= 5.39899e-005  A 6= 1.50069e-005 
A 8=-9.12452e-007  A10= 1.49574e-008  
第16面
K  = 0.00000e+000  A 4=-2.65947e-004  A 6= 2.82739e-005 
A 8= 3.17973e-007  A10=-1.62117e-008  
第17面
K  = 0.00000e+000  A 4=-1.78443e-004  A 6= 4.32192e-005 
A 8= 9.49531e-007  A10=-4.24353e-008  
第20面
K  = 0.00000e+000  A 4= 2.28570e-004  A 6=-7.89132e-006 
A 8=-5.66756e-007  A10= 2.47491e-008  
第23面
K  = 0.00000e+000  A 4=-2.90794e-004  A 6= 4.60019e-005 
A 8=-3.05752e-006  A10= 6.67003e-008  
各種データ
ズーム比     9.97 
広角     中間     望遠
焦点距離       5.01    11.50    50.00  
Fナンバー      3.61     4.50     5.60  
半画角（度）   34.29    18.62     4.43  
像高           3.42     3.88     3.88  
レンズ全長    82.56    82.56    82.56  
BF             6.67     6.23     2.53  
d 8            0.39     8.75    16.34  
d14           16.17     7.81     0.22  
d15           10.14     7.48     0.20  
d20            9.19    11.85    19.13  
d22            0.83     1.27     4.97  
d27            4.47     4.03     0.33  
入射瞳位置    11.19    17.40    25.54  
射出瞳位置   -83.35   -70.14   107.01  
前側主点位置  15.91    27.06    99.21  
後側主点位置  -3.66   -10.15   -48.65  
ズームレンズ群データ
群  始面    焦点距離  レンズ構成長  前側主点位置  後側主点位置
1    1      20.22        23.38        15.38         12.15
2    9      -8.81         3.89         0.48         -2.52
絞り15       ∞           0.00         0.00         -0.00
3   16      12.89         5.44         1.36         -2.55
4   21      -7.58         0.44         0.24         -0.02
5   23      11.30         6.03         1.86         -2.33
GB  28       ∞           1.29         0.42         -0.42
単レンズデータ
レンズ  始面  焦点距離
1       1    -16.13
2       3      0.00
3       5     24.83
4       7     36.78
5       9    -14.29
6      11     -8.55
7      13     14.54
8      16     25.26
9      18    -23.66
10      19     11.54
11      21     -7.58
12      23     10.31
13      25     -6.90
14      26      7.56
15      28      0.00
【００５４】
［数値実施例３］
単位 mm
面データ
面番号       r        d      nd         νd       有効径
1       -300.000    1.01   1.92286    20.9       17.14
2         16.000    2.00                         15.11
3          ∞      15.00   1.90366    31.3       15.07
4          ∞       0.19                         16.33
5         20.240    4.80   1.49700    81.6       17.99
6        -22.419    0.19                         18.06
7*        40.242    1.85   1.62588    35.7       17.13
8*       -79.700  (可変)                         16.90
9         32.546    0.44   1.88300    40.8        8.14
10          8.982    2.00                          7.70
11*        -8.415    0.44   1.78590    44.2        7.70
12         26.062    0.22                          8.45
13         40.416    1.23   1.92286    20.9        8.58
14        -18.750  (可変)                          8.79
15(絞り)    ∞     (可変)                          9.06
16*         8.703    1.80   1.62004    36.3        9.83
17*        17.689    0.70                          9.32
18         33.389    1.00   1.84666    23.8        9.32
19         13.235    1.94   1.59240    68.3        9.27
20*       -15.778  (可変)                          9.30
21          8.318    0.44   1.72916    54.7        5.43
22          4.868  (可変)                          5.22
23*        24.571    2.40   1.48749    70.2        8.43
24         -7.363    0.39                          8.48
25         -6.787    0.44   1.92286    20.9        8.25
26        -75.342    2.40   1.78800    47.4        8.98
27         -8.150  (可変)                          9.49
28          ∞       1.29   1.51633    64.2       20.00
29          ∞                                    20.00
像面        ∞   
【００５５】
非球面データ
第7面
K  = 0.00000e+000  A 4=-7.57183e-005  A 6= 2.85128e-007 
A 8= 1.79426e-008  A10=-1.72770e-010  
第8面
K  = 0.00000e+000  A 4=-5.70327e-005  A 6= 9.87104e-007 
A 8= 1.09926e-008  A10=-1.40004e-010  
第11面
K  = 0.00000e+000  A 4=-8.54309e-006  A 6= 1.36844e-005 
A 8=-4.79284e-007  A10=-1.76096e-009  
第16面
K  = 0.00000e+000  A 4=-3.14982e-004  A 6= 2.79837e-005 
A 8= 2.34439e-007  A10=-1.20305e-008  
第17面
K  = 0.00000e+000  A 4=-1.77047e-004  A 6= 3.96814e-005 
A 8= 1.26288e-006  A10=-4.13791e-008  
第20面
K  = 0.00000e+000  A 4= 1.38902e-004  A 6=-9.93211e-006 
A 8=-3.88688e-007  A10= 1.34032e-008  
第23面
K  = 0.00000e+000  A 4= 1.68023e-004  A 6=-1.07618e-005 
A 8= 6.16397e-007  A10=-1.37591e-008  
各種データ
ズーム比     9.97 
広角     中間     望遠
焦点距離       5.01    10.97    50.00  
Fナンバー      3.61     4.50     5.00  
半画角（度）   34.29    19.45     4.43  
像高           3.42     3.88     3.88  
レンズ全長    87.53    87.53    87.53  
BF             8.64     8.94     4.05
d 8            0.38     7.82    14.57  
d14           14.32     6.88     0.12  
d15           10.08     7.61     0.14  
d20            6.04     8.50    15.98  
d22            7.20     6.90    11.79  
d27            6.39     6.69     1.80  
入射瞳位置    11.62    17.03    24.19  
射出瞳位置    59.23    91.85    66.31  
前側主点位置  17.07    29.34   112.70  
後側主点位置  -3.62    -9.57   -48.60  
ズームレンズ群データ
群  始面    焦点距離  レンズ構成長  前側主点位置  後側主点位置
1    1      18.17        25.05        15.45         11.47
2    9      -8.47         4.32         0.57         -2.90
絞り15       ∞           0.00         0.00         -0.00
3   16      13.27         5.44         1.31         -2.59
4   21     -17.00         0.44         0.64          0.38
5   23      18.11         5.63         3.79          0.01
GB  28       ∞           1.29         0.42         -0.42
単レンズデータ
レンズ  始面  焦点距離
1       1    -16.43
2       3      0.00
3       5     22.23
4       7     42.98
5       9    -14.17
6      11     -8.05
7      13     14.02
8      16     25.66
9      18    -26.50
10      19     12.46
11      21    -17.00
12      23     11.92
13      25     -8.11
14      26     11.42
15      28      0.00
【００５６】
［数値実施例４］
単位 mm
面データ
面番号       r        d      nd         νd       有効径
1        -53.207    1.01   1.92286    20.9       17.00
2         20.690    1.79                         15.43
3          ∞      15.00   1.90366    31.3       15.36
4          ∞       0.19                         13.60
5         23.845    3.00   1.49700    81.6       13.76
6        -25.228    0.19                         13.66
7*        30.644    1.85   1.67270    32.1       12.78
8*      11067.038  (可変)                         12.14
9         27.368    1.10   1.88300    40.8        9.64
10          7.923    2.00                          8.23
11*       -20.349    0.44   1.83481    42.7        8.04
12         28.323    0.07                          8.02
13         14.187    1.23   1.92286    20.9        8.10
14       -226.401  (可変)                          7.99
15(絞り)    ∞     (可変)                          6.81
16*         6.987    1.80   1.60342    38.0        8.16
17*      -243.953    0.70                          7.86
18         15.504    1.00   1.84666    23.8        7.74
19          6.051    2.70   1.59240    68.3        7.21
20*        -7.810    1.00                          7.12
21        -12.108    0.44   1.72916    54.7        5.60
22          5.264  (可変)                          5.17
23*        21.630    2.00   1.55880    62.5        7.40
24        -10.576    0.39                          7.48
25        -22.515    0.44   1.92286    20.9        7.23
26         11.854    1.60   1.78800    47.4        7.23
27       -704.340  (可変)                          7.28
28          ∞       1.29   1.51633    64.2       20.00
29          ∞                                    20.00
像面        ∞   
【００５７】
非球面データ
第7面
K  = 0.00000e+000  A 4= 1.09483e-004  A 6=-8.11085e-007 
A 8= 2.40386e-009  A10= 3.31780e-010  
第8面
K  = 0.00000e+000  A 4= 1.46540e-004  A 6=-1.22497e-006 
A 8= 8.54814e-009  A10= 3.86254e-010  
第11面
K  = 0.00000e+000  A 4= 9.28805e-007  A 6=-7.49141e-006 
A 8= 2.43342e-007  A10=-4.60965e-009  
第16面
K  = 0.00000e+000  A 4= 3.77471e-004  A 6=-5.63823e-006 
A 8= 1.03716e-006  A10= 7.54526e-009  
第17面
K  = 0.00000e+000  A 4= 1.40001e-003  A 6=-1.12153e-005 
A 8= 1.94279e-006  A10= 3.53708e-009  
第20面
K  = 0.00000e+000  A 4=-1.25448e-004  A 6= 3.17204e-005 
A 8=-1.18341e-006  A10= 6.99172e-009  
第23面
K  = 0.00000e+000  A 4=-1.89974e-004  A 6= 1.72404e-005 
A 8=-1.51481e-006  A10= 4.56946e-008  
各種データ
ズーム比     7.98 
広角     中間     望遠
焦点距離       5.02    11.50    40.00  
Fナンバー      3.61     4.50     5.60  
半画角（度）  34.29    18.62     5.53  
像高           3.42     3.88     3.88  
レンズ全長    80.62    80.62    80.62  
BF             6.86     7.43     6.05
d 8            0.38     9.52    17.82  
d14           17.64     8.50     0.20  
d15           13.89     9.91     0.20  
d22            1.92     5.33    16.42  
d27            4.61     5.18     3.80  
入射瞳位置    12.12    18.11    24.57  
射出瞳位置   -35.11   -31.42   -49.52  
前側主点位置  16.45    25.58    33.14  
後側主点位置  -3.62   -10.10   -38.60  
ズームレンズ群データ
群  始面    焦点距離  レンズ構成長  前側主点位置  後側主点位置
1    1      24.15        23.04        17.12         15.32
2    9     -13.08         4.83         0.63         -2.98
絞り 15       ∞           0.00         0.00         -0.00
3    16      15.96         7.64       -10.49         -9.31
4    23      34.51         4.43        -0.62         -3.35
GB   28       ∞           1.29         0.42         -0.42
単レンズデータ
レンズ  始面  焦点距離
1       1    -16.04
2       3      0.00
3       5     25.18
4       7     45.68
5       9    -12.97
6      11    -14.13
7      13     14.50
8      16     11.29
9      18    -12.32
10      19      6.21
11      21     -4.98
12      23     13.00
13      25     -8.36
14      26     14.81
15      28      0.00
【００５８】
［数値実施例５］
単位 mm
面データ
面番号       r        d      nd         νd       有効径
1        -45.492    1.01   1.92286    20.9       17.00
2         22.533    1.58                         15.54
3          ∞      15.00   1.90366    31.3       15.50
4          ∞       0.19                         14.30
5         23.466    3.00   1.49700    81.6       14.57
6        -26.025    0.19                         14.50
7*        29.046    1.85   1.67270    32.1       13.60
8*      -528.972  (可変)                         13.13
9         24.994    1.10   1.88300    40.8        9.82
10          7.327    2.00                          8.28
11*       -21.272    0.44   1.83481    42.7        8.16
12         22.859    0.07                          8.14
13         14.535    1.23   1.92286    20.9        8.22
14        -81.976  (可変)                          8.15
15(絞り)    ∞     (可変)                          5.79
16*         7.687    1.80   1.60342    38.0        7.78
17*       521.318    0.70                          7.56
18         14.958    1.00   1.84666    23.8        7.44
19          6.471    2.70   1.59240    68.3        6.97
20*       -10.252    1.00                          6.80
21        -12.520    0.44   1.72916    54.7        5.83
22          6.325  (可変)                          5.54
23*        17.417    2.00   1.61800    63.4        8.37
24        -11.107  (可変)                          8.40
25        -13.802    0.44   1.92286    20.9        7.66
26         22.772    1.60   1.78800    47.4        7.73
27        -38.276  (可変)                          7.82
28          ∞       1.29   1.51633    64.2       20.00
29          ∞                                    20.00
像面        ∞   
【００５９】
非球面データ
第7面
K  = 0.00000e+000  A 4= 3.31636e-005  A 6=-7.06243e-007 
A 8=-3.73270e-009  A10= 1.18522e-010  
第8面
K  = 0.00000e+000  A 4= 6.20936e-005  A 6=-1.00839e-006 
A 8= 1.76793e-009  A10= 9.94041e-011  
第11面
K  = 0.00000e+000  A 4= 3.48405e-005  A 6=-5.35893e-006 
A 8= 2.21180e-007  A10=-4.19869e-009  
第16面
K  = 0.00000e+000  A 4= 5.89433e-004  A 6=-5.49463e-005 
A 8= 3.73768e-006  A10=-8.30594e-008  
第17面
K  = 0.00000e+000  A 4= 1.42607e-003  A 6=-9.40333e-005 
A 8= 6.61928e-006  A10=-1.53314e-007  
第20面
K  = 0.00000e+000  A 4=-5.06491e-004  A 6= 7.49973e-005 
A 8=-5.16517e-006  A10= 1.35982e-007  
第23面
K  = 0.00000e+000  A 4=-9.74765e-005  A 6= 5.55387e-006 
A 8=-4.80713e-007  A10= 1.17293e-008  
各種データ
ズーム比     7.98 
広角     中間     望遠
焦点距離       5.02    12.24    40.00  
Fナンバー      3.61     4.50     5.60  
半画角（度）  34.29    17.56     5.53  
像高           3.42     3.88     3.88  
レンズ全長    82.56    82.56    82.56  
BF             7.43     8.03     7.39  
d 8            0.39     9.93    18.59  
d14           18.41     8.86     0.20  
d15           13.77     8.50     0.20  
d22            1.40     5.44    15.51  
d24            1.83     2.47     1.34  
d27            5.18     5.78     5.14  
入射瞳位置    12.17    19.45    28.65  
射出瞳位置   -39.47   -37.36   -96.30  
前側主点位置  16.57    27.82    52.27  
後側主点位置  -3.62   -10.84   -38.60  
ズームレンズ群データ
群  始面    焦点距離  レンズ構成長  前側主点位置  後側主点位置
1    1      22.43        22.83        16.23         13.77
2    9     -12.33         4.83         0.59         -3.06
絞り 15       ∞           0.00         0.00         -0.00
3   16      20.82         7.64       -12.74        -11.01
4   23      11.28         2.00         0.78         -0.49
5   25     -19.75         2.04        -0.43         -1.59
GB  28       ∞           1.29         0.42         -0.42
単レンズデータ
レンズ  始面  焦点距離
1       1    -16.21
2       3      0.00
3       5     25.34
4       7     40.98
5       9    -12.09
6      11    -13.14
7      13     13.46
8      16     12.91
9      18    -14.24
10      19      7.12
11      21     -5.71
12      23     11.28
13      25     -9.26
14      26     18.33
15      28      0.00
【００６０】
【表１】
2014215434.tif 000003
【符号の説明】
【００６１】
Ｌ１  第１レンズ群      Ｌ２  第２レンズ群      Ｌ３  第３レンズ群
Ｌ４  第４レンズ群      Ｌ５  第５レンズ群      ＰＲ  反射部材
ＳＰ  開口絞り
【図１】
2014215434.tif 000004
【図２】
2014215434.tif 000005
【図３】
2014215434.tif 000006
【図４】
2014215434.tif 000007
【図５】
2014215434.tif 000008
【図６】
2014215434.tif 000009
【図７】
2014215434.tif 000010
【図８】
2014215434.tif 000011
【図９】
2014215434.tif 000012
【図１０】
2014215434.tif 000013
【図１１】
2014215434.tif 000014
【図１２】
2014215434.tif 000015